(57)【特許請求の範囲】
【請求項１】
ケース本体は、相互に連結一体状にしてある主回路収容室と、副回路収容室とを備え、
ケース本体の表面にあっては、主回路収容室の表側と、副回路収容室の表側に夫々分岐端子を配置し、
主回路収容室の底側には少なくとも入力端子を備えさせ、
しかも上記主回路収容室には奥行方向に向けてプリント基板を装着させ、
副回路収容室にはプリント基板を、ケース本体の表面に平行する方向に向けて装着させることにより副回路収容室の厚みを比較的薄くして裏側にケーブルの存置空間が形成できるように構成してある直列ユニットにおいて、
上記副回路収容室における主回路収容室に連結する側に形成されている連繋室は、上記のように、厚みを比較的薄く形成すると共に、両側の幅を狭く形成し、
上記副回路収容室におけるプリント基板には分配回路を備えさせると共に、
その副回路収容室における分配回路の各出力側は、
夫々副回路収容室におけるプリント基板上に並置してある夫々に対応する双方向、単方向選択スイッチを介して上記副回路収容室の表側の分岐端子と、上記主回路収容室の表側の分岐端子に夫々接続してあり、
上記副回路収容室内のプリント基板上に並置してある夫々の双方向、単方向選択スイッチにおける操作部は、ケース本体における副回路収容室の表面側に操作窓を備えさせて、
直列ユニットをアウトレットボックスの内部に納めた状態でケース本体における副回路収容室の表面側に位置する上記操作窓からの切換操作を可能に上記操作窓に表出してあることを特徴とする直列ユニット。
【発明の詳細な説明】
【０００１】
【発明の属する技術分野】
本発明は、双方向、単方向選択スイッチを備える直列ユニットに関し、ＣＡＴＶシステム等の信号伝送回路の端末若しくは端末近くに接続し、双方向の伝送と、単方向の伝送とを手軽に切替、選択利用できるようにしてある直列ユニットに関するものである。
【０００２】
【従来の技術】
従来より伝送路に直列ユニットを介設し、その直列ユニットを利用して伝送路の信号を分岐して加入者に向けて一方的に送り届けたり、或いは上記直列ユニットに１つの双方向、単方向選択スイッチを予め設けておき、必要に応じて双方向の機能に切り替えて利用できるようにしたものが知られている（例えば実公平５−20054号公報参照）。
【０００３】
【発明が解決しようとする課題】
しかし従来より、直列ユニットは、図１、２に示されているように一定の規格寸法に基づいて形成されるアウトレットボックス１の内部に収めみられることが多く、必然直列ユニット２の外形形状の大きさは制限される。このような直列ユニットの外形形状が制約されることからして、上記従来の直列ユニットにおいては、双方向、単方向選択スイッチを１セットしか備えることができず、複数の分岐端子を備える直列ユニットに対して夫々について双方向、単方向選択スイッチを付設することが望まれていた。
【０００４】
本件出願の直列ユニットは、上記従来技術の問題点を解決する為に提供するものである。
本件出願の目的は、直列ユニットに対して複数の分岐端子を備えさせたものにおいても、夫々の分岐端子に対して双方向、単方向選択スイッチの利用を可能に付設した直列ユニットを提供しようとするものである。
他の目的は、直列ユニットにおけるケース本体に対して双方向、単方向選択スイッチを備えさせるものであっても、ケース本体の外形形状を肥大化させることなく小型コンパクトに収めることの出来るようにした直列ユニットを提供しようとするものである。
他の目的は、ケース本体の外形形状を小型コンパクトに構成すると共にそのケース本体に対して複数の双方向、単方向選択スイッチを備えさせたものであっても、高周波的には充分な工夫がなされ高周波の広域的周波数特性を阻害しないようにした直列双方向、単方向選択スイッチユニットを提供しようとするものである。
他の目的及び利点は図面及びそれに関連した以下の説明により容易に明らかになるであろう。
【０００５】
【課題を解決するための手段】
本願発明の直列ユニットのケース本体は、相互に連結一体状にしてある主回路収容室と、副回路収容室とを備え、
ケース本体の表面にあっては、主回路収容室の表側と、副回路収容室の表側に夫々分岐端子を配置し、
主回路収容室の底側には少なくとも入力端子を備えさせ、
しかも上記主回路収容室には奥行方向に向けてプリント基板を装着させ、
副回路収容室にはプリント基板を、ケース本体の表面に平行する方向に向けて装着させることにより副回路収容室の厚みを比較的薄くして裏側にケーブルの存置空間が形成できるように構成してある直列ユニットにおいて、
上記副回路収容室における主回路収容室に連結する側に形成されている連繋室は、上記のように、厚みを比較的薄く形成すると共に、両側の幅を狭く形成し
上記副回路収容室におけるプリント基板には分配回路を備えさせると共に、
その副回路収容室における分配回路の各出力側は、
夫々副回路収容室におけるプリント基板上に並置してある夫々に対応する双方向、単方向選択スイッチを介して上記副回路収容室の表側の分岐端子と、上記主回路収容室の表側の分岐端子に夫々接続してあり、
上記副回路収容室内のプリント基板上に並置してある夫々の双方向、単方向選択スイッチにおける操作部は、ケース本体における副回路収容室の表面側に操作窓を備えさせて、
直列ユニットをアウトレットボックスの内部に納めた状態でケース本体における副回路収容室の表面側に位置する上記操作窓からの切換操作を可能に上記操作窓に表出してある。
【０００６】
【発明の実施の形態】
以下本願発明の実施の形態を示す図面について説明する。図１乃至図５において、１は、通常建築物の壁面に埋め込んで用いられている周知のアウトレットボックスを示す。２はアウトレットボックス１の内部に納めた状態の直列ユニットを示す。３は直列ユニットにおけるケース本体を示し、相互に連結一体状にしてある主回路収容室４と、副回路収容室５とを備える。これらは通常周知のダイカスト製法によって一体に塑性的に成形される。
上記アウトレットボックス１の内部に納められた状態の直列ユニット２のケース本体３の表面３ａにあっては、図１に表れているように主回路収容室４の表側と、副回路収容室５の表側に夫々分岐端子10a、10bが表れており、また、ケース本体３の表面側には操作窓２８も表れている。
４ｃと、５ｃは夫々主回路収容室４と、副回路収容室５における開口部を示し、成形に際しては金型における中子（内側金型）はこれらの開口部から夫々Ｈ方向及び３８方向に出入させた。また夫々の収容室４、５に収めるプリント基板１５、１６は夫々ここから挿入し、所定のプリント基板支持用の台（各収納室の内部複数箇所に夫々ケース本体と一体状に形成されている台８，８・・・８）によって位置決めされるところに装着する。６と、７は上記開口部４ｃ、５ｃを塞ぐ為に周知の如く配置された金属製の開閉自在の蓋を示す。
【０００７】
ケース本体３の表面３ａにあっては、主回路収容室の表側４ａと、副回路収容室の表側５ａに夫々周知のようにして分岐端子１０ａ、１０ｂ（通常コネクターと称されるものが用いられる）を図示のように配置してある。
また、主回路収容室４の底側４ｂには周知のように少なくとも入力端子１１と、必要に応じて出力端子１２を備えさせてある。これらの端子としてのコネクターは、周知のように外側をケース本体３と一体に形成してもよいし、別体のものを各透孔９の位置に装着してもよい。またこれらの端子としてのコネクター１１、１２の突出方向は、相互に大きな間隔を隔て、かつ、副回路収容室５の裏側に形成されるケーブル収容空間１ｃに向けてケーブルを導けるような向きにしてある。これらコネクター１１、１２の突出方向は、図１（Ａ）のようにアウトレットボックスの側面１ａに平行でもよいが、ハの字状態にやや傾斜させた状態でもよい。また図１の（Ｂ）のように直下に向けてもよいが、やや後方に向けて傾斜させた状態でもよい。さらに図１の（Ｂ）における副回路収容室の連繋室５ｄの裏側を凹ませる等してコネクター１１、１２に対するナットの締付作業が楽になるようにすると良い。なお図１の（Ａ）における副回路収容室の連繋室５ｄの両側はコネクター１１、１２に対するナットの締付作業が楽になるように幅を狭くして両側に大きな空間５ｅが形成してある。
【０００８】
上記主回路収容室４の内にあっては、奥行方向３８に向けて長くなるようにプリント基板１５が周知の手段によって装着させてある。従って主回路収容室４における面方向３９の寸法は薄くすることができる。
副回路収容室５にはプリント基板１６を、ケース本体３の表面に平行する面方向３９に向けて周知の手段によって装着させてある。これにより副回路収容室の奥行方向38の厚みを比較的薄くして、裏側に大きなケーブル存置空間１ｃが形成できるように構成してある。
【０００９】
プリント基板において、主回路収容室４に備えさせるプリント基板１５には分岐トランス２２ａを備える分岐回路２２及び必要に応じては、ＤＣ、低周波電流通過阻止用回路等が配設されている。入力端子１１を接続する為の端子装着部９ａと、出力端子１２を接続するための端子装着部９ｂと、分岐回路２２と、分配回路２１に向けて信号を送る為の分岐端３０及びアース端３１との接続は、通常広く行われているように導体を用いて行われている。１５ｂは副回路収容室５に納めるプリント基板１６の突出部１６ｃを貫通させる為の透孔を示す。１７は固着用の凹部を示し、上記の台８，８・・・８に嵌合させ得るように切欠部に形成し、ここを周知のようにケース本体３に止めてプリント基板１５の反対面（図４の裏面）の略全域に配置してあるアース面をケース本体３に高周波的に接続する。
【００１０】
上記副回路収容室５におけるプリント基板１６における一面（副回路収容室の開口部の蓋７の側に対向させる面）１６ａには分配トランス２１ａを有する分配回路２１と、２つの双方向、単方向選択スイッチ２５、２５とを備えさせると共に、この副回路収容室５におけるプリント基板１６には、主回路収容室４内に向けて延出させた突出部１６ｃを備えさせてある。
上記双方向、単方向選択スイッチ２５は、分配回路の出力側と分岐端子とを直接的に接続したり、或いは、それらの間にフィルタ（ＨＰＦ）２５ａが介在する状態に接続したりするためのものであり、この切替操作により双方向の伝送と、単方向の伝送とを手軽に切替、選択利用できる任意の構成にしてあればよい。例えば図面に示されるような構成であってもよい。
【００１１】
図３および、図５に示される二つの双方向、単方向選択スイッチ２５、２５の構成を例示すれば次の通りである。夫々のスイッチ２５、２５における符号ｆ、ｇ、ｊ、ｋ、ｍ、ｎは、夫々切替のための接点を示す。各接点ｇ、ｇは夫々分配トランス２１ａの出力側に導体１８ｅ、１８ｄで接続されて高周波信号を受け入れる為のものである。一方のスイッチにおける接点ｍは、主回路収容室４の表面に備える分岐端子１０ａに高周波信号を送る為に導体１８ｂを介して端子装着部９ｃに接続される。他方のスイッチにおける接点ｍは、副回路収容室５の表面に備える分岐端子１０ｂに高周波信号を送る為に導体１８ｃと、端子装着部９ｄを経由して分岐端子１０ｂに接続される。
更に図面から明らかなように各接点ｋ，ｆとは導体１８でもって短絡されており、各接点ｎ，ｊとは周知の任意構成に基づく上り信号（又は下り信号）阻止用のフィルタ２５ａ（ＨＰＦ：例えば阻止周波数帯域 ５５ＭＨz以下、通過周波数帯域 ７０〜２１５０ＭＨz（７０ＭＨz以上））を介在して接続されている。
【００１２】
図３（Ｂ）に実線でもって示される２６、２６は、２つが一対の可動接点を示し、接点ｋ、ｍの間、接点ｆ，ｇの間と、波線でもって示される接点ｍ，ｎの間、接点ｇ、ｊの間を連動的に移動を自在に構成されている。これらの可動接点２６、２６は摘み部材２７に対して連動を自在に連結部材２７ａで連結されており、摘みを矢印４０方向に進退させることにより進退を自在にしてある。
なお、双方向、単方向選択スイッチにおける摘み部材２７、２７及び可動接点２６、２６等は図５（Ｂ）に表われるプリント基板１６における他面１６ｂ（ケース本体３における表面の側に向ける面）に配設し、上記摘み部材（操作部）２７、２７がケース本体３における表面の操作窓２８、２８から操作できるように表出させるとよい。しかし上記摘み部材を操作窓から表面上に突設させた結果の誤操作が心配で有れば、外部からの操作を可能にする範囲で凹まして、表面に開閉蓋を付設してもよい。このように摘み部材（操作部）２７、２７がケース本体３における表面の操作窓２８、２８から操作できるように表出させてあると、図１のように直列ユニット２がアウトレットボックス１の内部に納った状態でも、双方向の伝送と、単方向の伝送とを手軽に切替、選択利用できる。なお図５（Ｂ）における符号ｆ、ｇ、ｊ、ｋ、ｍ、ｎを表示した位置に、夫々反対面に通じる必要な接点を露出させておく。
【００１３】
プリント基板１６における突出部１６ｃの一面１６ａ（図５（Ａ）の側）には、上記プリント基板１５における入力端子１１（９ａ）から分岐回路２２を経由して分岐端３０に至る回路、即ち、そこの分岐端３０の導体に半田等の接続部材で接続され、かつ、分配回路２１に向けて高周波信号を送る為の受入端３２の導体と、更にはこれに連なる導体１８ａを配設すると共に、分配回路２１から双方向、単方向選択スイッチ２５を介して主回路収容室４の表面に備える分岐端子１０ａに向けて延ばす導体１８ｂを配している。さらに上記突出部１６ｃの他面（図５（Ｂ）の面）にはアース導体１８ｆが広いアース効果が得られるように面１９の状態に配してある。さらに突出部１６ｃの一面１６ａ（図５（Ａ）の側）には上記信号伝達用のアース導体３１に対して、プリント基板１５における欠如部１５ｂの場所における貫通交叉する位置において半田等の接続手段で接続されるべきアース用の接続部３１ａが備えさせてある。
なお本例においてプリント基板の表面において配設される導体及び端子部の多くは、通常周知のプリント手段によって配設された導体を示すものであるが、分配トランス２１ａ、分岐トランス２２ａなどの立体的素子部材は周知のように線材を用いて配線してもよい。
【００１４】
次に主回路収容室４と、副回路収容室５との連結部において、３６は主回路収容室４を形成する為の内金型を用いて主回路収容室４の側から形成された連通孔を示し、これと同時に同内金型によって突出状態のアース片３４、及び、プリント基板の突出部１６ｃの受止めを可能に受止部３５が形成されている。アース片３４の位置は、突出部１６ｃの他面に備えるアース面１９における両側（例えば接続端３３）が接続可能となる位置に熱容量が小さくなるアースピン状の突片形状に形成されている。
従って、主回路収容室４、及び副回路収容室５に主回路収容室用のプリント基板１５と副回路収容室用のプリント基板１６が配置された状態では、連通孔３６と、副回路収容室用のプリント基板１６における切欠部１５ｂを貫通する副回路収容室用のプリント基板１６ｃにおけるアース面１９の側方、又はやや下側に位置させるべきアース片３４はアース面１９に高周波的に容易に接続される。即ち、  アース導体１９は、主回路収容室形成時に主回路収容室形成用金型によって成型されたアース片３４（アース端子）に半田又はクリップ材によって接続される。
【００１５】
上記構成のものにあっては、ケース本体３の成形に当って、主回路収容室４は矢印Ｈ方向から内金型を出し入れして成形され、副回路収容室５は裏側から奥行方向３８に向けて内金型を出し入れして成形する。従って主回路収容室４内の奥部の連通孔３６近くに、副回路収容室５で用いるプリント基板１６の突出部１６ｃのアース面１９に接続させるアース突片３４をＨ方向に長く作ることは容易となる。また主回路収容室４内にアース片３４があると、副回路収容室用のプリント基板１６ｃにおける裏面のアース面１９が分岐端子１０ａの近くの、連通孔３６を出たところでアースできるので、直列ユニット２の挿入損失を副回路収容室５の内面のみでアースしていた場合に比較して著しく小さくすることができ、ユニット２の広帯域特性を著しく向上させることができる。
【００１６】
【発明の効果】
以上のように本願発明は、直列ユニット２に対して複数の分岐端子１０ａ、１０ｂを備えさせたものにおいても、夫々の分岐端子に対して双方向、単方向選択スイッチ２５，２５の利用を可能にする効果がある。
さらに本願発明の構成によれば直列ユニット２におけるケース本体３に対して複数の双方向、単方向選択スイッチ２５、２５を備えさせるものであっても、その場所は副回路収容室５であるからケース本体３の外形形状を肥大化させることなく、小型コンパクトに収めることの出来る効果もある。
【図面の簡単な説明】
【図１】（Ａ）は正面図、（Ｂ）はＢ−Ｂ位置縦断面図。
【図２】（Ａ）は直列ユニットにおける副回路収納室の裏蓋を除いた状態の背面図、（Ｂ）は図１（Ｂ）のIIーII位置の断面図、（Ｃ）は図１（Ｂ）のＨ矢印方向から見た主回路収納室の側蓋を除いた状態の図。
【図３】（Ａ）は結線図、（Ｂ）は一方のスイッチにおける切替の機構説明図。
【図４】  主回路収納室用のプリント基板における１面を示す図。
【図５】副回路収納室用のプリント基板における１面と他面を示す図。
【符号の説明】
１・・・アウトレットボックス、２・・・直列ユニット、３・・・ケース本体、４・・・主回路収容室、５・・・副回路収容室、６・・主回路収容室の開口部の蓋、７・・副回路収容室の開口部の蓋、８・・・プリント基板支持用の台、９・・・端子装着部、１０・・・分岐端子、１１・・・入力端子、   １２・・・出力端子、１５・・・主回路収容室用のプリント基板、１６・・・副回路収容室用のプリント基板、１７・・・固着用凹部、１８・・・導体、１９・・・アース面２１・・・分配回路、２２・・・分岐回路、２５・・・双方向、単方向選択スイッチ、２６・・・可動接点、２７・・・摘み、２８・・・透孔、３０・・・分岐端子、３１・・・アース端、３２・・・分岐信号受入端子、３３・・・突出部アース端、３４・・・アース片、３５・・・受止部、３６・・・連通孔、３８・・・奥行方向。
【図１】
0005105455.tif 000002
【図２】
0005105455.tif 000003
【図３】
0005105455.tif 000004
【図４】
0005105455.tif 000005
【図５】
0005105455.tif 000006